(57)【要約】      （修正有）【課題】クリーンエリアでの使用に適した、より清浄な環境モニタリング培地包装体を提供する。【解決手段】インフレーション法により製造されたポリエチレンとナイロンからなるラミネートフィルムを用いて三重に包装した。内側包装体４には環境試験用培地７を１０枚収納し、上部には脱酸素剤８を同梱してある。筒状フィルムの上下の開口部を熱板シール法により封止した。同様にして内側包装体４を中間包装３し、さらに外側包装２して三重包装体とした。【選択図】図１
0003194151.tif 000002
【実用新案登録請求の範囲】
【請求項１】
インフレーション法で製造されたフィルムを用いて三重に包装されたことを特徴とする環境モニタリング培地包装体。
【請求項２】
内側の包装体の中に脱酸素剤を同梱した請求項１に記載の環境モニタリング培地包装体。
【請求項３】
内側の包装体の上部シール部に吊り下げ用の穴を開けてある請求項１または２に記載の環境モニタリング培地包装体。
【請求項４】
フィルムがポリエチレンおよびナイロンからなるラミネートフィルムである請求項１から３のいずれか一項に記載の環境モニタリング培地包装体。
【考案の詳細な説明】
【技術分野】
【０００１】
本考案は、クリーンエリアで使用する環境モニタリング用培地の包装体に関するものである。
【背景技術】
【０００２】
半導体や医薬品の製造環境は塵埃や細菌が製品に混入することを防ぐために高い清浄度が求められる。特に医薬品の製造においては、製品の安全性の観点から細菌の混入を防ぐ必要がある。医薬品を製造するクリーンエリアにおいては、清浄度の確認のために環境モニタリング用培地が使用されるが、通常の環境からクリーンエリアに環境モニタリング用培地を持ち込むにあたっては三重の包装形態をとることが一般的である。すなわち、通常の環境から、管理区域へ培地を搬入する際に外側包装を、管理区域からクリーンエリアへ培地を搬入する際に中間包装を、最後にクリーンエリアにおいて、使用直前に内側包装を破って使用することにより、クリーンエリアへの培地の持込みを最適化する。
【０００３】
環境モニタリング用培地の包装に用いられるフィルムの製造方法としてはT-ダイ法とインフレーション法が知られている。T-ダイ法は、直線状の吐出口から樹脂を押し出してシート状のフィルムを成型する方法である。インフレーション法は、リング状の吐出口から樹脂を押し出して、筒状のフィルムを成型する方法である。
【０００４】
両者を比較してみると、T-ダイ法で製造されたフィルムは両面に塵埃や細菌が付着する可能性があり、包装工程の前にフィルムの洗浄が必要となる。一方インフレーション法では筒状にフィルムが成型されるため、内容物と接するフィルム内面に塵埃や細菌が付着する可能性が低く、クリーンエリアで使用される物品を包装するのに適している。実際にクリーンエリアで使用される物品を包装するフィルムは専らインフレーション法で製造されるものであり、フィルムの製造環境自体もクリーンエリアになっている。
【０００５】
インフレーションフィルムを使用した包装体としては、特許文献１に記載されたものが知られている。特許文献１には医薬品等を収納した容器をインフレーション法で製造したフィルムで多重包装することが開示されている。しかしながら、特許文献１に記載の多重包装はピンホールの発生を防ぐためのものであり、クリーンエリアへの持ち込みは考慮されていない。すなわち、特許文献１に記載された包装体は１枚ずつ包装を破ることができない。
【先行技術文献】
【特許文献】
【０００６】
【特許文献１】特開平０７−２９１３０１号公報
【考案の概要】
【考案が解決しようとする課題】
【０００７】
本考案が解決しようとする課題は、クリーンエリアでの使用に適した、より清浄な包装体の提供に関する。
【課題を解決するための手段】
【０００８】
本考案の考案者らは、インフレーション法で製造されたフィルムを用いて三重に包装されたことを特徴とする環境モニタリング培地包装体により課題が解決できることを見出した。
【考案の効果】
【０００９】
本考案の培地包装体は、三重のフィルム包装のすべてにインフレーション法で製造されたフィルムを用いるため、フィルム包装の内側に塵埃や細菌の付着がほとんどないという利点がある。
【図面の簡単な説明】
【００１０】
【図１】図１は本考案の培地包装体の正面図である。
【図２】図２は本考案の培地包装体の側面図である。
【考案を実施するための形態】
【００１１】
本考案の培地包装体に用いられるフィルムは公知のインフレーション法により製造される。フィルムは単層のものでも複数のフィルムがラミネートされたものでもよい。
【００１２】
フィルムを構成する材質としては、低密度ポリエチレン、高密度ポリエチレン、エチレン酢酸ビニルコポリマー、ポリプロピレン、ポリ塩化ビニル、ナイロン６、ポリブチレンテレフタレート、ポリエチレンテレフタレートなどもしくはこれらを主成分とするコポリマーの他、ポリ塩化ビニリデン、エチレンビニルアルコールコポリマー、ポリアクリロニトリル、ポリメタキシリレンアジパミドなどから選ばれたポリマーが適宜組み合わせて用いられる。
【００１３】
上記材質の中から選定したフィルムの構成上で注意すべき点は、強度、透明性、柔軟性、引き裂き性、耐ピンホール性、ガスバリアー性、ヒートシール性等であり、要求される性能によって適宜選択される。
【００１４】
また本考案の培地包装体に用いられるフィルムの厚さは０．０３〜０．２０ｍｍ、より好ましくは０．０５〜０．１５ｍｍが好適である。
【００１５】
本考案では、インフレーション法により製造されたフィルムを用いて、環境試験用培地を包装する。フィルムの開口部をシールする方法としては、熱板シール法が一般的であるが、インパルスシール法、高周波シール法、超音波シール法等のいずれでもよい。
【００１６】
本考案では、環境試験用の培地をインフレーション法により製造されたフィルムで包装する。まず、培地を内側包装の筒状のフィルムに入れて、上端と下端をシールして内側包装体とする。同様の手順で内側包装体を中間包装し、さらに外側包装して三重の包装体とする。
【００１７】
包装にあたっては、環境試験用培地の品質保持のために、内側包装体の中の気体を必要に応じて脱気したり不活性ガスと置換したりすることもできる。同様に、内側包装体の中に脱酸素剤のパッケージを同梱することもできる。
【００１８】
内側包装体は、環境モニタリング用培地を１枚ずつ、あるいは複数枚の培地をまとめて包装してもよい。また、中間包装体は、内側包装体を一つないしは複数収納したものであってよい。
【００１９】
本考案で包装する環境モニタリング用培地については特に限定はない。シャーレに収納された寒天培地でも、シート状の培地でもよい。
【００２０】
さらに内側包装上部のシール部には、吊り下げ用の穴を開けることもできる。
【実施例１】
【００２１】
図１は、本考案の培地包装体の正面図、図２は側面図である。本考案は三重包装に使用するフィルムのすべてにインフレーション法で製造されたフィルムを用いることを特徴としており、包装体の縦方向にシール部がないのが外見上の特徴である。
【００２２】
インフレーション法により製造されたポリエチレンとナイロンからなるラミネートフィルムを用いて三重に包装した。内側包装体には環境試験用培地を１０枚収納し、上部には脱酸素剤を同梱してある。筒状フィルムの上下の開口部を熱板シール法により封止した。同様にして内側包装体を中間包装し、さらに外側包装して三重包装体とした。
【産業上の利用可能性】
【００２３】
本考案の培地包装体は、三重のフィルム包装のすべてにインフレーション法で製造されたフィルムを用いるため、フィルム包装の内側に塵埃や細菌の付着がほとんどなく有用である。また、包装体の側面をシールする必要がないので、包装工程を簡略化できる。
【符号の説明】
【００２４】
１    包装体
２    外側包装
３    中間包装
４    内側包装
５    フィルムのシール部
６    吊り下げ穴
７    固形培地
８    脱酸素剤
【図１】
0003194151.tif 000003
【図２】
0003194151.tif 000004